(57)【特許請求の範囲】
【請求項１】
紙幣が上下方向に集積された状態で台部上に装填されるとともに前記台部との間で紙幣を挟持するビルプレスが設けられた装填部と、
該装填部に装填された紙幣の最下のものを蹴り出す蹴出ローラと前記装填部に装填された紙幣を下側のものから一枚ずつ分離して繰り出す下側の繰出ローラおよび上側の分離部材とを有する分離繰出部と、
該分離繰出部で繰り出された紙幣を相互間で搬送する上側搬送構成部および下側搬送構成部を有する搬送機構とを備えた紙幣処理機において、
前記装填部の前記台部と前記分離繰出部の前記蹴出ローラおよび前記繰出ローラと前記搬送機構の前記下側搬送構成部とを下搬送ユニットに設け、
前記装填部の前記ビルプレスと前記分離繰出部の前記分離部材と前記搬送機構の前記上側搬送構成部とを前記下搬送ユニットに対し開閉可能な上搬送ユニットに設けるとともに、
前記分離部材が前記上搬送ユニット内でクリアランスをもって移動可能に支持され、
前記下搬送ユニットには、前記上搬送ユニットが閉状態にあるとき前記分離部材を位置決めする位置決め部が設けられており、
前記分離部材は、分離ローラと、該分離ローラを支持する支持フレームと、該支持フレームから側方に突出し前記上搬送ユニットの支持穴に該上搬送ユニットの閉時の上下方向および紙幣繰出方向にクリアランスをもって挿入されて該上搬送ユニットから側方に突出する一対の位置決めピンと、前記支持フレームから側方に突出し前記上搬送ユニットの支持開口部に前記閉時の上下方向および紙幣繰出方向にクリアランスをもって挿入される一対のガイドピンとを有し、
前記位置決め部は、上下方向に沿い前記位置決めピンに紙幣繰出方向下流側から当接して該位置決めピンを紙幣繰出方向に位置決めする下流側当接辺部と、該下流側当接辺部の下端部から紙幣繰出方向上流側に延出し前記位置決めピンに下側から当接して該位置決めピンを上下方向に位置決めする下側当接辺部と、前記下流側当接辺部の上端部から上側ほど紙幣繰出方向下流側に位置するように傾斜するガイド辺部とを有し、前記位置決めピンを前記下流側当接辺部および前記下側当接辺部に当接させる方向に前記分離部材を付勢部材で付勢してなるとともに、前記閉時の位置決め状態からの前記位置決めピンの上側および紙幣繰出方向上流側への移動を許容し、
前記支持開口部は、前記付勢部材で付勢された前記分離部材の前記ガイドピンに紙幣繰出方向下流側から当接して該ガイドピンを紙幣繰出方向に位置決めする辺部を有することを特徴とする紙幣処理機。
【発明の詳細な説明】
【技術分野】
【０００１】
本発明は、紙幣処理機に関し、特にメンテナンス性を向上できる紙幣処理機に関する。
【背景技術】
【０００２】
バラ紙幣が一括して装填部にセットされると、これを分離繰出部で一枚ずつ分離して繰り出し搬送機構で搬送して所定の処理を行う紙幣処理機において、ジャムを生じた紙幣を排除するために、分離繰出部よりも下流側の搬送機構における下側の搬送ベルト機構に対し上側の搬送ベルト機構を開閉可能に設けたものがある（例えば、特許文献１参照）。
【特許文献１】実公平１−９８０５号公報
【発明の開示】
【発明が解決しようとする課題】
【０００３】
上記の紙幣処理機では、搬送機構の上側の搬送ベルト機構を下側の搬送ベルト機構に対し開閉できるものの、分離繰出部については、このような開閉ができず、分離繰出部で生じたジャムについてのメンテナンス性が悪かった。つまり、分離繰出部は、一般的に、下側の繰出ローラと上側の摩擦分離部材（固定タイプ、ローラタイプ等）とを有しているが、これらの間は、隙間調整が可能な程度には可動に構成されているが、開くようにはなっていないのである。
【０００４】
したがって、本発明は、分離繰出部についてもメンテナンス性を向上できる紙幣処理機の提供を目的とする。
【課題を解決するための手段】
【０００５】
上記目的を達成するために、請求項１に係る発明は、紙幣が上下方向に集積された状態で台部上に装填されるとともに前記台部との間で紙幣を挟持するビルプレスが設けられた装填部と、該装填部に装填された紙幣の最下のものを蹴り出す蹴出ローラと前記装填部に装填された紙幣を下側のものから一枚ずつ分離して繰り出す下側の繰出ローラおよび上側の分離部材とを有する分離繰出部と、該分離繰出部で繰り出された紙幣を相互間で搬送する上側搬送構成部および下側搬送構成部を有する搬送機構とを備えた紙幣処理機において、前記装填部の前記台部と前記分離繰出部の前記蹴出ローラおよび前記繰出ローラと前記搬送機構の前記下側搬送構成部とを下搬送ユニットに設け、前記装填部の前記ビルプレスと前記分離繰出部の前記分離部材と前記搬送機構の前記上側搬送構成部とを前記下搬送ユニットに対し開閉可能な上搬送ユニットに設けるとともに、前記分離部材が前記上搬送ユニット内でクリアランスをもって移動可能に支持され、前記下搬送ユニットには、前記上搬送ユニットが閉状態にあるとき前記分離部材を位置決めする位置決め部が設けられており、前記分離部材は、分離ローラと、該分離ローラを支持する支持フレームと、該支持フレームから側方に突出し前記上搬送ユニットの支持穴に該上搬送ユニットの閉時の上下方向および紙幣繰出方向にクリアランスをもって挿入されて該上搬送ユニットから側方に突出する一対の位置決めピンと、前記支持フレームから側方に突出し前記上搬送ユニットの支持開口部に前記閉時の上下方向および紙幣繰出方向にクリアランスをもって挿入される一対のガイドピンとを有し、前記位置決め部は、上下方向に沿い前記位置決めピンに紙幣繰出方向下流側から当接して該位置決めピンを紙幣繰出方向に位置決めする下流側当接辺部と、該下流側当接辺部の下端部から紙幣繰出方向上流側に延出し前記位置決めピンに下側から当接して該位置決めピンを上下方向に位置決めする下側当接辺部と、前記下流側当接辺部の上端部から上側ほど紙幣繰出方向下流側に位置するように傾斜するガイド辺部とを有し、前記位置決めピンを前記下流側当接辺部および前記下側当接辺部に当接させる方向に前記分離部材を付勢部材で付勢してなるとともに、前記閉時の位置決め状態からの前記位置決めピンの上側および紙幣繰出方向上流側への移動を許容し、前記支持開口部は、前記付勢部材で付勢された前記分離部材の前記ガイドピンに紙幣繰出方向下流側から当接して該ガイドピンを紙幣繰出方向に位置決めする辺部を有することを特徴としている。
【発明の効果】
【００１１】
請求項１に係る発明によれば、下搬送ユニットに対し上搬送ユニットを開くと、下搬送ユニットに設けられた装填部の台部と分離繰出部の繰出ローラと搬送機構の下側搬送構成部とに対して、上搬送ユニットに設けられた分離繰出部の分離部材と搬送機構の上側搬送構成部とを離間させることができる。したがって、搬送機構だけでなく、分離繰出部についてもメンテナンス性を向上できる。しかも、メンテナンスのために下搬送ユニットに対し上搬送ユニットを開いたとしても、その後、上搬送ユニットを閉状態にすれば、上搬送ユニットにクリアランスをもって移動可能に支持された分離繰出部の分離部材が、下搬送ユニットの位置決め部で位置決めされることになり、下搬送ユニットに位置決めして設けられている繰出ローラに対しても位置決めされることになる。したがって、分離繰出部の繰出ローラおよび分離部材についてメンテナンス性向上のために別々の下搬送ユニットおよび上搬送ユニットに設けて離間可能としても、これら繰出ローラおよび分離部材を上搬送ユニットおよび下搬送ユニットの閉状態では良好に位置決めできる。
【００１２】
また、位置決め部が分離部材を上下および紙幣繰出方向の前後に位置決めするため、分離部材を繰出ローラに対して確実に位置決めすることができる。
【００１３】
また、位置決め部が分離部材に下側および紙幣繰出方向下流側から当接する当接部を有しており、分離部材が当接部の方向に付勢部材で付勢されるため、分離部材は、当接部で、下側つまり繰出ローラ側へ位置決め位置よりも近づくことが規制され、必要によりこの位置決め位置よりもクリアランスの範囲で上側に繰出ローラからの離間が可能となる。したがって、分離部材の上下方向における繰出ローラへの近づきすぎによるジャムの発生や紙幣の状態に起因したジャムの発生を防止できる。また、分離部材は、当接部で、紙幣繰出方向下流側へ位置決め位置よりも繰出ローラから離間する移動が規制され、必要によりこの位置決め位置よりもクリアランスの範囲で紙幣繰出方向上流側に繰出ローラからの離間が可能となる。したがって、分離部材が紙幣に引かれて搬送方向下流側に繰出ローラから離間することによるジャムの発生や紙幣の状態に起因したジャムの発生を防止できる。したがって、分離繰出部から良好に紙幣を繰り出すことができる。
【００１４】
また、分離部材が分離ローラを支持する支持フレームに設けられた一対の位置決めピンを側方に突出させた状態で上搬送ユニットに設けられており、一対の位置決めピンに下搬送ユニットの位置決め部が当接するため、構造を複雑にせずに確実に分離部材を位置決めすることができる。
【００１５】
また、分離部材の一対の位置決めピンとは別に支持フレームから側方に突出する一対のガイドピンが、上搬送ユニットの第２位置決め部で位置決めされるため、分離部材の角度を決める必要がある場合に、良好に角度を決めることができる。
【発明を実施するための最良の形態】
【００１７】
本発明の一実施形態の紙幣処理機を図面を参照して以下に説明する。
本実施形態の紙幣処理機１１は、バラ紙幣の入金および収納処理を行うことが可能とされるものであるが、さらに収納した紙幣を出金させるもの等、種々の紙幣処理機に適用可能である。
【００１８】
本実施形態の紙幣処理機１１は、図１に概略的に示すように、機体の前面側の上部にバラ紙幣が投入される装填部１２が設けられ、この装填部１２の下側に機体内からリジェクト紙幣が繰り出されるリジェクト口１３が設けられている。
【００１９】
装填部１２は、水平に対し若干後ろ下がりに傾斜してその底をなす台部１５を有しており、この台部１５上に紙幣が上下方向に集積された状態で装填される。なお、台部１５を水平に配置しても良い。
【００２０】
また、装填部１２には、台部１５の機体奥側上方に機体左右方向に沿って配設された回動軸１６と、この回動軸１６に回動可能に支持されて台部１５の上側で上下に揺動可能とされ、台部１５上に装填された紙幣を台部１５との間で挟持するビルプレス１７とが設けられている。
【００２１】
装填部１２の機体奥側には、このように台部１５上に装填されたバラ紙幣を、下側のものから一枚ずつ分離して機体内に繰り出す分離繰出部２０が設けられている。この分離繰出部２０は、装填部１２の台部１５に、台部１５から上部を一部突出させた状態で機体左右方向に沿う軸回りに回転可能に設けられた蹴出ローラ２１と、台部１５よりも機体奥側に蹴出ローラ２１と平行な軸回りに回転可能に設けられた繰出ローラ２２と、この繰出ローラ２２の上側に繰出ローラ２２と平行な軸回りに回転可能に設けられた分離ローラ２３を含む分離部材２４とを有している。分離ローラ２３は、図示せぬワンウエイクラッチによって繰出ローラ２２側が機体奥方に移動する方向の回転が規制され、逆方向の回転のみ許容される。
【００２２】
このような分離繰出部２０は、台部１５上に装填されたバラ紙幣の最下のものを蹴出ローラ２１で繰出ローラ２２と分離ローラ２３との間に蹴り出し、この蹴り出し時に最下の紙幣に引きずられて繰出ローラ２２と分離ローラ２３との間に移動した紙幣を分離ローラ２３で止めて蹴り出された最下の紙幣のみを繰出ローラ２２で機体方向に繰り出す。
【００２３】
この分離繰出部２０の機体奥側には、分離繰出部２０から繰り出された紙幣を搬送する搬送機構２５が接続されている。この搬送機構２５は、最も機体上部側にあって分離繰出部２０から略水平に沿って機体奥側に延出する搬送部２７と、この搬送部２７の末端から下側に折り返し略水平に沿って機体手前側に延出してリジェクト口１３に接続される搬送部２８と、この搬送部２８の途中から下方に延出した後に機体手前に延出し下側に折り返して機体奥側に延出する搬送部２９とを有しており、最も上流側の搬送部２７には、装填部１２に装填された紙幣の金種、真偽、正損および搬送異常の識別と計数とを行う識別部３０が設けられている。
【００２４】
また、搬送機構２５は、搬送部２９の機体手前側から分岐して下方に延出する搬送部３１ａと、搬送部２９の搬送部３１ａよりも機体奥側から分岐して下方に延出する搬送部３１ｂと、搬送部２９の搬送部３１ｂよりも機体奥側から分岐して下方に延出する搬送部３１ｃと、搬送部２９の末端から下方に延出する搬送部３１ｄとを有している。
【００２５】
そして、搬送部３１ａ〜３１ｄの各末端位置には、識別部３０により真紙幣かつ正紙幣で正常搬送と識別された紙幣を金種別に分けて一時貯留させる複数具体的には全金種数に相当する四つの一時貯留部３２ａ，３２ｂ，３２ｃ，３２ｄが接続されている。
【００２６】
さらに、一時貯留部３２ａ〜３２ｄの下側には、これらに金種別に一時貯留された紙幣を金種別のまま受け入れて収納する金種別の収納金庫３３ａ，３３ｂ，３３ｃ，３３ｄが設けられている。
【００２７】
上記した搬送機構２５のうちの分離繰出部２０に近い搬送部２７は、繰出ローラ２２と平行な軸回りに回転可能に設けられた複数の搬送ローラ３５を有する上側搬送構成部３６と、この上側搬送構成部３６の下側に設けられて、繰出ローラ２２と平行な軸回りに回転可能に設けられた複数の搬送ローラ３８を有する下側搬送構成部３９とを有しており、上側搬送構成部３６および下側搬送構成部３９の間に分離繰出部２０から繰り出された紙幣を複数の搬送ローラ３５および複数の搬送ローラ３８で搬送する。なお、搬送部２７に設けられる識別部３０も搬送される紙幣を間に通過させるように上側識別構成部４１および下側識別構成部４２で構成されている。
【００２８】
そして、本実施形態においては、図２および図３に示すように、上記した装填部１２の台部１５と分離繰出部２０の繰出ローラ２２と搬送部２７の複数の搬送ローラ３８を有する下側搬送構成部３９と識別部３０の下側識別構成部４２とが下搬送ユニット４５に設けられており、装填部１２のビルプレス１７と分離繰出部２０の分離ローラ２３を含む分離部材２４と搬送部２７の複数の搬送ローラ３５を有する上側搬送構成部３６と識別部３０の上側識別構成部４１とが、下搬送ユニット４５に対し別体で下搬送ユニット４５に対し開閉可能に連結された上搬送ユニット４６に一体状に設けられている。つまり、下搬送ユニット４５の後部には、繰出ローラ２２等と平行に回動軸４８が設けられており、この回動軸４８に上搬送ユニット４６の後端部が回動可能に連結されている。
【００２９】
上記した分離ローラ２３は、図４に示す分離部材２４に一体的に組み込まれている。この分離部材２４は、分離ローラ２３を一対の平行な側板部（側部）５０間に支持する支持フレーム５１と、支持フレーム５１の両側板部５０から分離ローラ２３の軸線と平行に外方に突出する一対の同軸の位置決めピン５２と、支持フレーム５１の両側板部５０から位置決めピン５２と平行に外方に突出する一対の同軸のガイドピン５３とを有している。
【００３０】
上搬送ユニット４６を下搬送ユニット４５に対し閉じた閉時（以下、単に閉時と称す）を例にとり説明すると、上搬送ユニット４６は、図５に示すように、機体左右方向に対し直交する状態で機体左右方向に互いに間隔をあけて配設された一対の支持板部５５を有しており、これら支持板部５５には、上部に、閉時における上下方向および分離繰出部２０の紙幣繰出方向（以下、単に紙幣繰出方向と称す）の位置を合わせて下方に凹むガイド凹部５６が形成されていて（一方のみ図示）、下部に、閉時における上下方向および紙幣繰出方向の位置を合わせて、略矩形状の一対の支持穴５７が形成されている（一方のみ図示）。
【００３１】
具体的に、ガイド凹部５６は、図６に示すように、閉時における紙幣繰出方向上流側の辺部６０と、同下流側にあって上側ほど下流側に位置するように傾斜する辺部（第２位置決め部）６１と、これら辺部６０，６１の下端部をつなぐ半円状部６２とを有している。また、支持穴５７は、閉時における上部の辺部６４と、下部の辺部６５と、紙幣繰出方向の上流側の辺部６６と、同下流側の辺部６７とを有している。ここで、ガイド凹部５６の紙幣繰出方向下流側の辺部６１は、これと上搬送ユニット４６の開閉中心である図３に示す回動軸４８の中心とを結んだ線に対し直交する。
【００３２】
そして、図４に示す分離部材２４は、図６に示すように一対の位置決めピン５２が一対の支持穴５７に挿入され、一対のガイドピン５３が一対のガイド凹部５６に挿入されることで、一対の支持板部５５に支持されている。
【００３３】
ここで、位置決めピン５２は、図４に示すように、円柱状の小径軸部６９と、小径軸部６９の先端側に設けられる小径軸部６９よりも大径の円柱状の大径軸部７０とを有しており、図５に示すように支持板部５５に支持された状態で小径軸部６９が支持板部５５に軸線方向の位置を合わせることになり、大径軸部７０が支持板部５５よりも外側に位置する。また、ガイドピン５３は、図４に示すように、円柱状の軸部７２と、軸部７２の先端側に設けられる軸部７２よりも大径の円板状のフランジ部７３とを有しており、図５に示すように支持板部５５に支持された状態で軸部７２が支持板部５５に軸線方向の位置を合わせることになり、フランジ部７３が支持板部５５よりも外側に位置する。
【００３４】
図６に示すように、位置決めピン５２の小径軸部６９の外径よりも支持穴５７の閉時の上下方向の幅および紙幣繰出方向の幅は大きくなっており、ガイドピン５３の軸部７２の外径よりもガイド凹部５６の閉時の上下方向の幅および上部の紙幣繰出方向の幅は大きくなっている。これにより、分離部材２４は、上搬送ユニット４６内でクリアランスをもって閉時の上下方向および紙幣繰出方向に移動可能に支持されている。また、分離部材２４は、一対の位置決めピン５２および一対のガイドピン５３を側方に突出させた状態で上搬送ユニット４６に設けられている。なお、分離部材２４の分離ローラ２３は、図７に示すように、位置決めピン５２に対して閉時の紙幣繰出方向上流側に若干オフセットしている。
【００３５】
分離部材２４の側板部５０と支持板部５５との間には、分離部材２４を閉時の機体奥側、つまり紙幣繰出方向下流側に付勢するコイル状の引張バネ（付勢部材）７５が介装されており、支持板部５５と分離部材２４の位置決めピン５２との間には、分離部材２４を閉時の下側に付勢する捩りバネ（付勢部材）７６が介装されている。これにより、上搬送ユニット４６が下搬送ユニット４５に対し開かれた状態では、図６に二点鎖線で示すように、分離部材２４の位置決めピン５２の小径軸部６９が支持穴５７の辺部６５と辺部６７とに当接し、しかもガイドピン５３の軸部７２がガイド凹部５６の半円弧部６２に当接している。
【００３６】
上記した上搬送ユニット４６の一対の支持板部５５には、図５に示すように、機体左右方向に沿って回動軸７８が同軸に設けられ、回動軸７８の一対の支持板部５５よりも両外側には、ロック爪７９が回動可能に支持されている（一方のみ図示）。上搬送ユニット４６は、下搬送ユニット４５に対し閉じられた状態でロック爪７９が爪部８０において下搬送ユニット４５のロックピン８１に係合されることで閉状態で互いに位置決めらされてロックされる。
【００３７】
下搬送ユニット４５には、機体左右方向に対し直交する状態で機体左右方向に互いに間隔をあけて配設された一対の同形状の位置決め板部８４が閉時における上下方向および紙幣繰出方向の位置を合わせて設けられており、これら位置決め板部８４には、閉時の下流側に上方に突出する突出部８５が閉時における上下方向および紙幣繰出方向の位置を合わせてそれぞれ形成されている（一方のみ図示）。各位置決め板部８４には、図７に示すように、突出部８５の閉時の紙幣繰出方向上流側に形成された上下方向に沿う当接辺部（位置決め部，当接部）８６と、この当接辺部８６の下端部から突出部８６よりも閉時の紙幣繰出方向上流方向に延出するように形成された当接辺部（位置決め部，当接部）８７とを有している。ここで、当接辺部８７は、水平に対し紙幣繰出方向下流側が若干下側に位置するように傾斜しており、当接辺部８６は、この当接辺部８７に対し垂直上方に延出している。つまり、当接辺部８６は、鉛直に対して閉時における上側ほど若干紙幣繰出方向下流側に位置するように傾斜している。さらに、突出部８５の閉時の紙幣繰出方向上流側には、当接辺部８６の閉時における上側に、当接辺部８６よりも大きな傾斜で上側ほど紙幣繰出方向下流側に位置するように傾斜するガイド辺部８８が設けられ、このガイド辺部８８の上側に、略鉛直に沿うガイド辺部８９が設けられている。
【００３８】
そして、上搬送ユニット４６を下搬送ユニット４５に対し閉じてロック爪７９をロックピン８１に係合させると、位置決めピン５２の大径軸部７０が、図７に示すようにその下部を自重および捩りバネ７６の付勢力で下側の当接辺部８７に当接させ、その搬送方向下流側の端部を引張バネ７５の付勢力で紙幣繰出方向下流側の当接辺部８６に当接させることになる。このとき、当接辺部８７は図６に実線で示すように位置決めピン５２の小径軸部６９を捩りバネ７６の付勢力に抗して支持穴５７のクリアランスの範囲内で上側に移動させて辺部６５から離間させ、当接辺部８６も図６に実線で示すように位置決めピン５２の小径軸部６９を引張バネ７５の付勢力に抗して支持穴５７のクリアランスの範囲内で紙幣繰出方向上流側に移動させて辺部６７から離間させる。つまり、引張バネ７５および捩りバネ７６で当接辺部８６，８７の方向に分離部材２４を付勢することで、当接辺部８６，８７に位置決めピン５２を当接させて、位置決めピン５２を下搬送ユニット４５に対し、閉時の上下および紙幣繰出方向の前後に位置決めする。また、このとき、ガイドピン５３はガイド凹部５６の辺部６１に引張バネ７５の付勢力で当接する。この辺部６１はこれと上搬送ユニット４６の開閉中心である回動軸４８の中心と結ぶ線に対し直交しているため、分離部材２４の下搬送ユニット４５に対する位置決めピン５２を中心とした角度も決められる。ここで、辺部６１を上搬送ユニット４６の開閉中心を中心とした円弧状とすれば、上搬送ユニット４６の上下の位置ずれがあっても常に一定位置にガイドピン５３を配置でき、下搬送ユニット４５に対する分離部材２４の角度を決められるためより好ましいが、この円弧に対し接線となるように辺部６１が形成されていても許容範囲内で位置決めできる。このようにして、分離部材２４が下搬送ユニット４５に対し、下搬送ユニット４５の位置決め板部８４および上搬送ユニット４６の辺部６１で位置決めされることになり、下搬送ユニット４５に位置決めして設けられている繰出ローラ２２に対しても位置決めされることになる。
【００３９】
以上に述べた本実施形態の紙幣処理機によれば、ロック爪７９のロックピン８１に対する係合を解除して下搬送ユニット４５に対し上搬送ユニット４６を回動軸４８を中心に上側に開くと、下搬送ユニット４５に設けられた装填部１２の台部１５と分離繰出部２０の繰出ローラ２２と搬送機構２５の下側搬送構成部３９とに対して、上搬送ユニット４６に設けられた分離繰出部２０の分離部材２４と搬送機構２５の上側搬送構成部３６とを離間させることができる。したがって、搬送機構２５だけでなく、分離繰出部２０についてもメンテナンス性を向上できる。しかも、メンテナンスのために下搬送ユニット４５に対し上搬送ユニット４６を開いたとしても、その後、上搬送ユニット４６を閉状態にすれば、上搬送ユニット４６にクリアランスをもって移動可能に支持された分離繰出部２０の分離部材２４の位置決めピン５２が、下搬送ユニット４５の位置決め板部８４のガイド辺部８８，８９で案内されて当接辺部８６および当接辺部８７で位置決めされることになり、しかも、分離部材２４の一対のガイドピン５３が、上搬送ユニット４６の開閉中心とを結ぶ線に対し直交する辺部６１に当接して角度が決められるため、下搬送ユニット４５に位置決めして設けられている繰出ローラ２２に対しても位置決めされることになる。したがって、分離繰出部２０の繰出ローラ２２および分離部材２４についてメンテナンス性向上のために別々の下搬送ユニット４５および上搬送ユニット４６に設けて離間可能としても、これら繰出ローラ２２および分離部材２４を上搬送ユニット４６および下搬送ユニット４５の閉状態で良好に位置決めできる。
【００４０】
しかも、当接辺部８６，８７が分離部材２４の位置決めピン５２を閉時の上下および紙幣繰出方向の前後に位置決めするため、分離部材２４を繰出ローラ２２に対して確実に位置決めすることができる。
【００４１】
さらに、分離部材２４の位置決めピン５２に下側および紙幣繰出方向下流側から当接する当接辺部８６，８７が設けられており、分離部材２４が当接辺部８６，８７の方向に引張バネ７５および捩りバネ７６で付勢されるため、分離部材２４は、当接辺部８７で、下側つまり繰出ローラ２２側へ位置決め位置よりも近づくことが規制され、必要によりこの位置決め位置よりもクリアランスの範囲で上側に繰出ローラ２２からの離間が可能となる。したがって、分離部材２４の分離ローラ２３の上下方向における繰出ローラ２２への近づきすぎによるジャムの発生や紙幣の状態に起因したジャムの発生を防止できる。また、分離部材２４は、当接辺部８６で、紙幣繰出方向下流側へ位置決め位置よりも繰出ローラ２２から離間する方向の移動が規制され、必要によりこの位置決め位置よりもクリアランスの範囲で紙幣繰出方向上流側に繰出ローラ２２からの離間が可能となる。したがって、分離部材２４の分離ローラ２３が紙幣に引かれて搬送方向下流側に繰出ローラ２２から離間することによるジャムの発生や紙幣の状態に起因したジャムの発生を防止できる。したがって、分離繰出部２０から良好に紙幣を繰り出すことができる。
【００４２】
さらに、分離部材２４が分離ローラ２３を支持する支持フレーム５１に設けられた一対の位置決めピン５２を側方に突出させた状態で上搬送ユニット４６に設けられており、一対の位置決めピン５２に下搬送ユニット４５の当接辺部８６，８７が当接するため、構造を複雑にせずに確実に分離部材２４の位置決めピン５２を位置決めすることができる。
【００４３】
加えて、上記したように、分離部材２４の一対の位置決めピン５２とは別に支持フレーム５１から側方に突出する一対のガイドピン５３が、上搬送ユニット４６の開閉中心とを結ぶ線に対し直交するガイド凹部５６の辺部６１で位置決めされるため、分離部材２４の角度を決める必要がある場合、つまり位置決めピン５２と分離ローラ２３とがオフセットしている場合に、良好にこれを行うことができる。
【００４４】
なお、上記実施形態とは異なる参考技術であるが、一対のガイドピン５３に紙幣繰出方向下流側から当接して位置決めする位置決め部（第２位置決め部）を、上搬送ユニット４６ではなく、下搬送ユニット４５に設けることも可能である。この場合も、分離部材２４の一対のガイドピン５３を、下搬送ユニット４５のこの位置決め部で位置決めできるため、分離部材２４の角度を決める必要がある場合に、良好にこれを行うことができる。ここで、分離ローラ２３と位置決めピン５２とが同軸に配置されていれば、ガイドピン５３の位置決めは必ずしも必要でなくなる。
【００４５】
また、上記実施形態とは異なる参考技術であるが、回転可能な分離ローラを有するものではなく、摩擦パッド等の固定式の分離部材を用いる場合にも適用可能である。
【図面の簡単な説明】
【００４６】
【図１】本発明の一実施形態の紙幣処理機を概略的に示す側断面図である。
【図２】本発明の一実施形態の紙幣処理機の要部を示す側断面図であって上搬送ユニットが下搬送ユニットに対し閉じられた状態を示すものである。
【図３】本発明の一実施形態の紙幣処理機の要部を示す側断面図であって上搬送ユニットが下搬送ユニットに対し開かれた状態を示すものである。
【図４】本発明の一実施形態の紙幣処理機における分離部材を示す斜視図である。
【図５】本発明の一実施形態の紙幣処理機における要部を示す斜視図である。
【図６】本発明の一実施形態の紙幣処理機における上搬送ユニットの要部を示す側断面図である。
【図７】本発明の一実施形態の紙幣処理機における上搬送ユニットの要部を示す側面図である。
【符号の説明】
【００４７】
１１  紙幣処理機
１２  装填部
１５  台部
２０  分離繰出部
２２  繰出ローラ
２３  分離ローラ
２４  分離部材
２５  搬送機構
３６  上側搬送構成部
３９  下側搬送構成部
４５  下搬送ユニット
４６  上搬送ユニット
５１  支持フレーム
５２  位置決めピン
５３  ガイドピン
６１  辺部（第２位置決め部）
７５  引張バネ（付勢部材）
７６  捩りバネ（付勢部材）
８６，８７  当接辺部（位置決め部，当接部）
【図１】
0004791139.tif 000002
【図２】
0004791139.tif 000003
【図３】
0004791139.tif 000004
【図４】
0004791139.tif 000005
【図５】
0004791139.tif 000006
【図６】
0004791139.tif 000007
【図７】
0004791139.tif 000008